(57)【要約】【課題】前部側の椅子に着座した利用者の頭部が後方側の天板付き什器の高硬度部位に接触するのを回避することができる組み合わせ什器を提供する。【解決手段】  天板１２を有する天板付き什器１０と、天板付き什器１０の天板１２の後方に設置される椅子２０を組にする。天板付き什器１０と椅子２０の組を前後方向に複数配列して使用する。天板付き什器１０の前部に、天板付き什器１０の前方の椅子２０に着座した利用者の頭部を保護する弾性を有する頭部保護部材１７を設置する。【選択図】図１
2015229083.tif 000002
【特許請求の範囲】
【請求項１】
脚部材に支持された天板を有する天板付き什器と、該天板付き什器の天板の後方に設置される椅子を備え、
前記天板付き什器と前記椅子が組を成し、当該天板付き什器と椅子の組が前後方向に複数配列されて使用される組み合わせ什器において、
前記天板付き什器の前部に、当該天板付き什器の前方の前記椅子に着座した利用者の頭部を保護する弾性を有する頭部保護部材が取り付けられていることを特徴とする組み合わせ什器。
【請求項２】
前記天板付き什器は、前記天板の前部を覆う幕板を備え、
前記幕板は、前記天板の前部側で当該天板よりも上方に延出する上方延長部を有し、
前記頭部保護部材は、前記上方延出部に取り付けられていることを特徴とする請求項１に記載の組み合わせ什器。
【請求項３】
前記天板付き什器と、当該天板付き什器の前方の前記椅子とは、後方側の前記天板付き什器が階段状の段床の高位部に設置されるとともに、前方側の前記椅子が前記段床の前記高位部よりも低い低位部に設置されていることを特徴とする請求項２に記載の組み合わせ什器。
【発明の詳細な説明】
【技術分野】
【０００１】
この発明は、テーブル等の天板付き什器と椅子を備えた組み合わせ什器に関するものである。
【背景技術】
【０００２】
教室や講演会場、競技場等の施設においては、脚部材に支持された天板を備えた長テーブル等の天板付き什器と、その天板付き什器を利用する作業者が着座する椅子とが組となった組み合わせ什器が使用される（例えば、特許文献１，２参照）。
【０００３】
特許文献１に記載の組み合わせ什器は、組を成す天板付き什器と椅子が施設内のフロア部に前後方向に複数配列されるものであり、天板付き什器と椅子はそれぞれ個別にフロア上に設置されている。
【０００４】
一方、特許文献２に記載の組み合わせ什器は、天板付き什器の前面に前部側の椅子が傾動可能に取り付けられ、この天板付き什器と椅子が一体化されたユニットが施設内のフロア部に前後方向に複数配列されている。
【０００５】
これらの組み合わせ什器は、天板付き什器と椅子が前後方向に規則正しく複数配列されるため、施設内に多人数の利用者を効率良く収容することができる。
【先行技術文献】
【特許文献】
【０００６】
【特許文献１】特許第５０９００９０号公報
【特許文献２】特許第５３７８６８９号公報
【発明の概要】
【発明が解決しようとする課題】
【０００７】
しかし、上記従来の組み合わせ什器は、前部側の椅子と後方側の天板付き什器とが前後方向に近接して設置されることが多く、そのような状況で前部側の椅子に着座した利用者が、例えば、頭部を後方に反らせたとき等に、利用者の頭部が後の天板付き什器の角部等の高硬度部位に触れることが懸念される。
【０００８】
そこでこの発明は、前部側の椅子に着座した利用者の頭部が後方側の天板付き什器の高硬度部位に接触するのを回避することができる組み合わせ什器を提供しようとするものである。
【課題を解決するための手段】
【０００９】
この発明に係る組み合わせ什器は、上記課題を解決するために、脚部材に支持された天板を有する天板付き什器と、該天板付き什器の天板の後方に設置される椅子を備え、前記天板付き什器と前記椅子が組を成し、当該天板付き什器と椅子の組が前後方向に複数配列されて使用される組み合わせ什器において、前記天板付き什器の前部に、当該天板付き什器の前方の前記椅子に着座した利用者の頭部を保護する弾性を有する頭部保護部材が取り付けられるようにした。
【００１０】
これにより、前部側の椅子に着座した利用者が頭部を後方に反らした場合にも、その利用者の頭部が、後方側の天板付き什器に取り付けられた頭部保護部材に当接することで、天板付き什器の角部等の高硬度部位に接触するのを回避される。
【００１１】
前記天板付き什器は、前記天板の前部を覆う幕板を備え、前記幕板は、前記天板の前部側で当該天板よりも上方に延出する上方延長部を有し、前記頭部保護部材は、前記上方延出部に取り付けられるようにしても良い。
この場合、天板の前部を覆う幕板に上方延出部が設けられ、その上方延出部に頭部保護部材が取り付けられているため、天板付き什器に保護部材を取り付けるための専用の大型部材を取り付ける必要がない。このため、天板付き什器の部品点数を削減することができる。
【００１２】
前記天板付き什器と、当該天板付き什器の前方の前記椅子とは、後方側の前記天板付き什器が階段状の段床の高位部に設置されるとともに、前方側の前記椅子が前記段床の前記高位部よりも低い低位部に設置されるようにしても良い。
この場合、後方側の天板付き什器が段床の高位部に設置され、前方側の椅子が段床の低位部に設置されるため、幕板の上方延出部の延出長さを極端に長くすることなく、頭部保護部材を椅子に着座した利用者の頭部とほぼ同高さに設置することができる。したがって、幕板の上方延出部の延出長さを短くして、天板付き什器の小型化と、頭部保護部材の支持剛性の向上を図ることができる。
【発明の効果】
【００１３】
この発明によれば、天板付き什器の前部に、前方の椅子に着座した利用者の頭部を保護する弾性を有する頭部保護部材が取り付けられているため、前部側の椅子に着座した利用者の頭部が後方側の天板付き什器の高硬度部位に接触するのを回避することができる。
【図面の簡単な説明】
【００１４】
【図１】この発明の一実施形態の組み合わせ什器を設置した施設内の側面図である。
【図２】この発明の一実施形態の組み合わせ什器を設置した施設内の上面図である。
【図３】この発明の一実施形態の組み合わせ什器を設置した施設内の正面図である。
【図４】この発明の一実施形態の組み合わせ什器を設置した施設内の斜視図である。
【図５】この発明の他の実施形態の組み合わせ什器の側面図である。
【発明を実施するための形態】
【００１５】
以下、この発明の一実施形態を図面に基づいて説明する。
この実施形態に係る組み合わせ什器は、使用者二人が左右に並んで利用可能な天板付き什器１０と、天板付き什器１０の後方側に設置される二つの椅子２０，２０と、を備えている。
この実施形態の場合、天板付き什器１０と椅子２０，２０の組は、競技場の階段状の段床１に、前後と左右に並んで複数設置されている。競技場の段床１は、観戦方向に向かって次第に低位となるように形成されており、天板付き什器１０…は、その段床１の傾斜に沿って前後方向に直線的に並んで設置されている。前後に並ぶ各天板付き什器１０は、段床１の高さの異なる各段に設置されている。
【００１６】
こうして直線的に前後に並んだ天板付き什器１０…の列の左右両側には、施設内の階段通路２が配置されている。施設内には、段床１の傾斜に沿う階段通路２が複数略平行に設けられている。
なお、以下においては、特別に断らない限り、施設内の競技観戦方向を「前」と呼び、その反対側を「後」と呼ぶものとする。図中矢印ＦＲは、施設内の前方を指すものとする。
【００１７】
天板付き什器１０は、段床１の水平面１ａに固定設置される脚部材１１と、脚部材１１の上端部に略水平に取り付けられる天板１２と、脚部材１１と天板１２に取り付けられて天板１２の前部を前方側から遮蔽する幕板１３と、を備えている。各天板付き什器１０の天板１２の後方側（競技観戦方向に向かっての後方側）には、天板１２を使用する使用者の進入スペースが確保され、その進入スペースに天板付き什器１０と組を成す椅子２０，２０が設置されている。
【００１８】
天板１２は、幅方向に横長に形成され、幅方向の中心線Ｃを挟んだ左右に二つの作業領域ＷＬ，ＷＲが設けられている。各作業領域ＷＬ，ＷＲの前端縁１４と後端縁１５は、それぞれ隣接する階段通路２に向かって設定角度（例えば、５°程度）後方側に傾斜している。具体的には、左側の作業領域ＷＬの前端縁１４と後端縁１５とは、左側に位置される階段通路２に向かって設定角度後方側に傾斜しており、右側の作業領域ＷＲの前端縁１４と後端縁１５とは、右側に位置される階段通路２に向かって設定角度後方側に傾斜している。
【００１９】
また、天板１２の階段通路２に臨む側端部１９（側部側の端面）は、階段通路２の延出方向と略平行に形成されている。つまり、天板１２の各側端部１９は、端面が階段通路２に沿うように形成されている。
【００２０】
幕板１３は、板厚方向が略前後方向を向くようにして、脚部材１１と天板１２の前端縁１４とに跨って取り付けられている。幕板１３は、幅方向の中心線Ｃの位置を前側に凸の稜線として左右両側が後方側に設定角度傾斜している。幕板１３のこの傾斜角度は、天板１２の左右の作業領域ＷＬ，ＷＲの前端縁１４の傾斜角度と合致する角度に設定されている。
【００２１】
また、幕板１３は、図３に示すように、天板１２の前部下方を覆う下方遮蔽領域１３ａと、天板１２の前面と天板１２の前部上方側を覆う上方遮蔽領域１３ｂ（天板１２よりも上方に延出する上方延長部）とを備えている。下方遮蔽領域１３ａの幅方向の寸法は、脚部材１１の幅方向の寸法とほぼ同寸法に設定され、上方遮蔽領域１３ｂの幅方向の寸法は、天板１２の幅方向の寸法とほぼ同寸法に設定されている。天板１２の幅方向の寸法は、脚部材１１の幅方向の寸法よりも大きく設定されている。幕板１３の上方遮蔽領域１３ｂの側端部は、下方遮蔽領域１３ａの側端部に対して隣接する階段通路２側に段差状に膨出している。
【００２２】
脚部材１１の階段通路２に臨む側面のうちの、幕板１３の下方遮蔽領域１３ａに対応する高さ位置には、階段通路２を移動する歩行者が把持可能な把持部材１６が取り付けられている。
【００２３】
幕板１３の上方遮蔽領域１３ｂの前面には、前方の椅子２０に着座した利用者の頭部を保護するための頭部保護部材１７が取り付けられている。頭部保護部材１７は、横長の略長方体状のブロックによって形成されている。頭部保護部材１７は、弾性を有し、例えば、スポンジゴム等の弾性を有するブロック状の素材が表皮材に覆われて構成されている。頭部保護部材１７の設置高さは、前方の椅子２０に着座した一般的な利用者の頭部の高さとほぼ同高さに設定されている。頭部保護部材１７の前方側への突出高さは、前方の椅子２０に着座した利用者が後部に反り返って利用者の後頭部が当接したときに、その利用者の頭部が天板１２の上側の角部に接触するのを回避し得る高さに設定されている。
【００２４】
ところで、天板付き什器１０と組みを成す二つの椅子２０，２０は、その天板付き什器１０の設置される段床１の段よりも一段上の段の前部垂立面１ｂに支持されている。そして、後方側の組の天板付き什器１０と、前方側の組の二つの椅子２０，２０とは、後方側の天板付き什器１０が階段状の段床１の高位部に設置されるとともに、前方側の椅子２０，２０が段床１の高位部よりも低い低位部に設置されている。
【００２５】
一方、各椅子２０は、基端が段床１の前部垂立面１ｂに固定設置されて、その基端から前部上方側に向かって延出する一対の支持アーム２１，２１と、後縁部が一対の支持アーム２１，２１に跳ね上げ回動可能に軸支される座２２と、下端の幅方向の両側部が一対の支持アーム２１，２１に支持される背凭れ２３と、を備えている。なお、背凭れ２３の上端部は、幅方向の中央位置において、後方側の天板付き什器１０の幕板１３の前面に図示しない係止手段によって係止固定されている。背凭れ２３の上端部の係止位置は、幕板１３の前面の頭部保護部材１７の直下位置に設定されている。
【００２６】
座２２は、図４に示すように、左右の支持アーム２１，２１に保持された回動軸２４に軸支されている。各回動軸２４は、前方の天板付き什器１０の天板１２の作業領域ＷＬまたはＷＲの後端縁１５と平行になるように、つまり、隣接する階段通路２に向かって後方側に傾斜するように設置されている。そして、各回動軸２４に軸支される座２２は、幅方向が隣接する階段通路２に向かって後方側に傾斜している。また、下端が左右の支持アーム２１，２１に固定される背凭れ２３も、座２２と同様に幅方向が隣接する階段通路２に向かって後方側に傾斜している。
【００２７】
以上のように、階段通路２の両側に設置された天板付き什器１０と椅子２０，２０の組は以下のようにして使用される。
各天板付き什器１０の天板１２を利用する使用者は、階段通路２から使用する天板１２の作業領域ＷＬ，ＷＲの後方側に進入し、その作業領域ＷＬ，ＷＲの後方側の対応する椅子２０に着座する。
【００２８】
このとき、天板１２の作業領域ＷＬ，ＷＲの後端縁１５は、隣接する階段通路２に向かって後方側に傾斜し、対応する椅子２０，２０も、幅方向が同様に隣接する階段通路２に向かって後方側に傾斜している。このため、椅子２０に着座して天板１２上の作業領域ＷＬ，ＷＲに向かった使用者は、体全体が隣接する階段通路２の前方側に斜め向くことになる。したがって、一つの天板付き什器１０の天板１２を共用する左右の使用者は、両者の視線の向く方向が相反方向にずれ、隣接する使用者の存在を気にせずに作業領域ＷＬ，ＷＲに向かって快適に作業を行うことができる。
【００２９】
この実施形態に係る組み合わせ什器は、天板付き什器１０の前部に、その天板付き什器１０の前方側の椅子２０に着座した利用者の頭部を保護する弾性を有する頭部保護部材１７が取り付けられているため、前方側の椅子２０に着座した利用者が後方にのけ反った場合にも、その利用者の頭部を弾性を有する頭部保護部材１７によって柔軟に受け止めることができる。したがって、利用者の頭部が後方側の天板付き什器１０の天板１２や幕板１３の角部等の高硬度部位に接触するのを回避することができる。
【００３０】
また、この実施形態に係る組み合わせ什器においては、天板付き什器１０に天板１２の前部を覆う幕板１３が設けられるとともに、その幕板１３に天板１２よりも上方側に延出する上方遮蔽領域１３ｂが延設され、頭部保護部材１７がその上方遮蔽領域１３ｂの前面に取り付けられている。このため、天板付き什器１０に頭部保護部材１７を取り付けるための専用の大型部品を別に取り付ける必要がない。したがって、この構造を採用することにより、天板付き什器１０の部品点数の増加を招くことなく、頭部保護部材１７を高い支持剛性をもって取り付けることができる。
【００３１】
さらに、実施形態に係る組み合わせ什器の場合、後方側の天板付き什器１０が階段状の段床１の高位部に設置されるとともに、前方側の椅子２０，２０が段床１の高位部よりも低い低位部に設置されているため、幕板１３の上方遮蔽領域１３ｂの上方側への延出長さを極端に長くすることなく、頭部保護部材１７を椅子２０に着座した利用者の頭部とほぼ同高さに設置することができる。
したがって、この組み合わせ什器においては、幕板１３の上方遮蔽領域１３ｂの延出長さを短くして、天板付き什器１０の小型化と、頭部保護部材１７の支持剛性の向上を図ることができる。
また、頭部保護部材１７を椅子２０に着座した利用者の頭部とほぼ同高さに設置することができるため、頭部保護部材１７を、椅子２０に着座した利用者が頭部を載せて休むためのヘッドレストとしても利用することができる。
【００３２】
図５は、他の実施形態に係る組み合わせ什器の一部側面を示す図である。
この他の実施形態に係る組み合わせ什器は、天板付き什器１０と椅子２０の基本的な構成は上記の実施形態とほぼ同様であるが、頭部保護部材１１７の形状と、幕板１３に対する頭部保護部材１１７の取り付け方が異なっている。
【００３３】
即ち、この他の実施形態では、頭部保護部材１１７は、幕板１３の上方遮蔽領域１３ｂの前面と上端面を連続して覆う形状に形成され、上端部が上方遮蔽領域１３ｂの上端面よりも上方側に所定量膨出するように幕板１３に取り付けられている。
【００３４】
したがって、この実施形態に係る組み合わせ什器においては、頭部保護部材１１７が幕板１３の上方遮蔽領域１３ｂの前面と上端面を完全に覆うように設置されることから、前方の椅子２０に着座した利用者の頭部が、上方遮蔽領域１３ｂの上端側の角部に接触するのをより確実に回避することができる。
また、この実施形態の場合、天板付き什器１０が施設内の平坦な床面上に設置され、前方の椅子２０の着座者の頭部が幕板１３よりも上方に位置し易くなる形態においても、前方の着座者の頭部を保護し易い、利点がある。
【００３５】
なお、この発明は上記の実施形態に限定されるものではなく、その要旨を逸脱しない範囲で種々の設計変更が可能である。例えば、上記の実施形態の天板付き什器と椅子は、天板と幕板の前端面と、椅子の幅方向とが階段通路に向かって後方側に傾斜しているが、天板と幕板の前端面と、椅子の幅方向とは、傾斜せずに前方に正対する構造であっても良い。
また、上記の実施形態においては、前席の背凭れ２３の上部が天板付き什器１０の幕板１３の前面に固定されているが、前席の背凭れ２３の上部は天板付き什器１０の幕板１３の前方側に離間させるようにしても良い。この場合、頭部保護部材１７の上下長を長くして、頭部保護部材１７の下縁が前席の背凭れ２３の後面に対峙するように配置すれば、頭部保護部材１７が離間する二部材（背凭れ２３と幕板１３）間の緩衝材としても機能するようになる。また、この場合、頭部保護部材１７によって着座者の強固な指の挟み込みも防止することができる。
【符号の説明】
【００３６】
１  段床
１０  天板付き什器
１１  脚部材
１２  天板
１３  幕板
１３ｂ  上方遮蔽領域（上方延出部）
１７，１１７  頭部保護部材
【図１】
2015229083.tif 000003
【図２】
2015229083.tif 000004
【図３】
2015229083.tif 000005
【図４】
2015229083.tif 000006
【図５】
2015229083.tif 000007